(57)【要約】【課題】テレビのモニタ画面を表示しなくても、瞬時に若しくは常に天気予報を報知する。【解決手段】天気予報を提供するデータ放送の受信が可能なデジタルテレビジョン放送受信装置において、モニタ画面１３ａを除く装置筐体３０の前面に、天気の状態を示す各図記号が表記された図記号表記部と、各図記号に対応して配置された発光部とからなる天気予報表示部１８を設け、装置の制御部は、受信した天気予報のデータに基づいて、該当する天気を示す図記号に対応した発光部を点灯制御することにより、電源オフ状態であっても天気予報の表示を可能とする。【選択図】図２
2009302678.tif 000002
【特許請求の範囲】
【請求項１】
天気予報を提供するデータ放送の受信が可能なデジタルテレビジョン放送受信装置において、
モニタ画面を除く装置筐体の前面に設けられた天気予報の情報を表示する表示手段と、
受信した天気予報のデータに基づいて前記表示手段の表示制御を行う制御手段とを備えたことを特徴とするデジタルテレビジョン放送受信装置。
【請求項２】
請求項１に記載のデジタルテレビジョン放送受信装置において、
前記表示手段は、天気予報を文字で表示する文字表示部を備え、
前記制御手段は、受信した天気予報のデータに基づいて前記文字表示部に天気予報を文字表示することを特徴とするデジタルテレビジョン放送受信装置。
【請求項３】
請求項１に記載のデジタルテレビジョン放送受信装置において、
前記表示手段は、天気の状態を示す各図記号が表記された図記号表記部と、各図記号に対応して配置された発光部とからなり、
前記制御手段は、受信した天気予報のデータに基づいて、該当する図記号に対応する発光部を点灯制御することを特徴とするデジタルテレビジョン放送受信装置。
【請求項４】
請求項１に記載のデジタルテレビジョン放送受信装置において、
前記表示手段は、天気の状態を示す各図記号が表記された光透過性の図記号表記パネルと、この図記号表記パネルの後ろ側に配置された各図記号を個別に点灯表示するためのバックライトとからなり、
前記制御手段は、受信した天気予報のデータに基づいて、該当する図記号の後ろ側に配置されたバックライトを点灯制御することを特徴とするデジタルテレビジョン放送受信装置。
【請求項５】
請求項１ないし請求項４のいずれか１項に記載のデジタルテレビジョン放送受信装置において、
前記表示手段には天気予報の表示日時を表示する表示窓が設けられており、
前記表示手段に表示する天気予報の日時をユーザが設定可能な設定手段をさらに備え、
前記制御手段は、受信した天気予報のデータに基づき、前記設定手段で設定された日時の天気予報を前記表示手段に表示するとともに、その表示している天気予報の日時を前記表示窓に表示することを特徴とするデジタルテレビジョン放送受信装置。
【請求項６】
請求項１ないし請求項５のいずれか１項に記載のデジタルテレビジョン放送受信装置において、
前記制御手段は、装置の電源がオフ状態であっても、天気予報のデータ放送を適宜受信して前記表示手段に天気予報を表示することを特徴とするデジタルテレビジョン放送受信装置。
【発明の詳細な説明】
【技術分野】
【０００１】
本発明は、天気予報を提供するデータ放送の受信が可能なデジタルテレビジョン放送受信装置に関する。
【背景技術】
【０００２】
従来から、天気予報を提供するデータ放送の受信が可能なデジタルテレビジョン放送受信装置において、簡単な操作で天気予報を表示するようにした技術が提案されている（例えば、特許文献１〜３等参照）。
【０００３】
特許文献１には、所定のデータ取得タイミングにおいて、所定のデータ放送サービスを選局し、データ放送データを取得して不揮発性メモリに格納するとともに、所定のデータ提示タイミングにおいて、不揮発性メモリに格納されているデータをニモタに表示するデジタルテレビ放送受信機が開示されている。
【０００４】
また、特許文献２には、 コンテンツ選択用に専用のお好みキーを設け、予めリモコン送信機のカラーキー（青、赤、緑、黄）に４つのジャンルのデータ放送コンテンツをプリセット、例えば、「青キー→ＢＳ：１０３ｃｈ：データ放送選択：気象情報」のごとくプリセットし、このプリセット情報をメモリ１４に格納し、お好みキーの押下を検出すると、デジタル放送としてＢＳデジタル放送を選択し、このＢＳデジタル放送の１０３ｃｈのデータ放送を選択し、このデータ放送のなかの気象情報を選択する一連の処理を自動実行するようにしたデジタル放送受信装置が開示されている。
【０００５】
また、特許文献３には、地上波デジタル放送信号の受信中に地上波デジタル放送信号に含まれるデータ放送のデータを受信すると、そのデータ放送のデータの中から天気予報データを抽出して、その天気予報データをメモリに記憶する。そして、リモコンの天気予報ボタンが押下されると、メモリに記憶している天気予報データを基に、データ放送の天気予報をスピーカから音声出力するように構成されたデジタルテレビジョン放送受信装置が開示されている。
【特許文献１】特開２００７−２５９０３４号公報
【特許文献２】特開２００５−２５２３１６号公報
【特許文献３】特開２００７−３２４７５０号公報
【発明の開示】
【発明が解決しようとする課題】
【０００６】
上記特許文献１，２によれば、テレビの電源をオンにし、メニュー画面から天気予報を選択して視聴するといった手間をかけることなく、簡単な操作で天気予報を視聴することができる。また、上記特許文献３では、簡単な操作で天気予報を聞くことができる。しかし、上記特許文献１，２のものはいずれも、テレビの電源をオンしてモニタ画面に天気予報を表示する必要があるため、朝等の忙しいときにいちいちテレビの電源をオンしなければならないといった問題があった。すなわち、テレビの電源がオンされていなければ天気予報を見ることができなかった。
【０００７】
本発明はかかる問題点を解決すべく創案されたもので、その目的は、テレビのモニタ画面を表示しなくても、瞬時に若しくは常に天気予報を報知することのできるデジタルテレビジョン放送受信装置を提供することにある。
【課題を解決するための手段】
【０００８】
上記目的を達成するため、本発明のデジタルテレビジョン放送受信装置は、天気予報を提供するデータ放送の受信が可能なデジタルテレビジョン放送受信装置において、モニタ画面を除く装置筐体の前面に設けられた天気予報の情報を表示する表示手段と、受信した天気予報のデータに基づいて前記表示手段の表示制御を行う制御手段とを備えたことを特徴としている。すなわち、本発明によれば、テレビのモニタ画面とは別に、装置筐体の前面に設けられた天気予報の情報を表示する表示手段を設けているので、モニタ画面を表示しなくても天気予報を表示することが可能である。
【０００９】
この場合、前記制御手段は、装置の電源がオフ状態であっても、天気予報のデータ放送を適宜受信して前記表示手段に天気予報を表示するように構成しておけばよい。これにより、表示手段には常に天気予報が表示されているので、ユーザは、テレビの電源をオンすることなく天気予報を確認することができる。
【００１０】
また、本発明によれば、前記表示手段は、天気予報を文字で表示する文字表示部を備え、前記制御手段は、受信した天気予報のデータに基づいて前記文字表示部に天気予報を文字表示するように構成することができる。文字表示部としては、例えば蛍光表示管や液晶表示パネルなどを用いることができる。液晶表示パネルは消費電力も少なく、省エネには有効である。
【００１１】
また、本発明によれば、前記表示手段は、天気の状態を示す各図記号が表記された図記号表記部と、各図記号に対応して配置された例えばＬＥＤ等からなる発光部とからなり、前記制御手段は、受信した天気予報のデータに基づいて、該当する図記号に対応する発光部を点灯制御するように構成することができる。すなわち、本発明によれば、天気の状態は図記号で示されているので、電力消費としては発光部のＬＥＤのみである。そのため、表示手段を常に表示する構成としても、消費電力は極めて低く抑えることができるため、省エネに極めて有効な構成である。
【００１２】
また、本発明によれば、前記表示手段は、天気の状態を示す各図記号が表記された光透過性の図記号表記パネルと、この図記号表記パネルの後ろ側に配置された各図記号を個別に点灯表示するためのバックライトとからなり、前記制御手段は、受信した天気予報のデータに基づいて、該当する図記号の後ろ側に配置されたバックライトを点灯制御するように構成することができる。すなわち、本発明によれば、天気の状態は図記号で示されているので、電力消費としては該当する図記号の後ろに配置されているバックライトのみである。そのため、表示手段を常に表示する構成としても、消費電力は極めて低く抑えることができるため、省エネに極めて有効な構成である。
【００１３】
また、本発明によれば、前記表示手段には天気予報の表示日時を表示する表示窓が設けられており、前記表示手段に表示する天気予報の日時をユーザが設定可能な設定手段をさらに備え、前記制御手段は、受信した天気予報のデータに基づき、前記設定手段で設定された日時の天気予報を前記表示手段に表示するとともに、その表示している天気予報の日時を前記表示窓に表示するように構成してもよい。ユーザによっては、現在の天気予報ではなく、例えば帰宅時の天気予報等が知りたい場合もある、その場合には、設定手段を操作して例えば１２時間後に設定しておけば、例えば朝７時に天気予報を見たときに、表示窓には午後７時と表示され、表示手段には午後７時の天気予報が表示されることになる。これにより、ユーザは、出勤前に帰宅時の天気予報を確認することが可能となる。
【発明の効果】
【００１４】
本発明によれば、テレビのモニタ画面とは別に、装置筐体の前面に設けられた天気予報の情報を表示する表示手段を設けているので、テレビのモニタ画面を表示しなくても天気予報を表示することができる。また、表示手段を蛍光表示管や液晶表示パネルなどで構成することで、常時表示であっても、消費電力を少なく抑えることができる。さらに、表示手段を図記号とＬＥＤとの組み合わせ、または図記号とバックライトとの組み合わせとすることで、常時表示であっても、さらなる消費電力の削減が可能となる。また、常時表示とすることで、ユーザにとっては、テレビの電源をオンすることなく天気予報を瞬時に確認することができるため、例えば出勤前の忙しい時間帯において特に便利である。
【発明を実施するための最良の形態】
【００１５】
以下、本発明の実施の形態について、図面を参照して説明する。
【００１６】
図１は、本発明の実施形態に係るデジタルテレビジョン放送受信装置１の概略構成図である。
【００１７】
本実施形態のデジタルテレビジョン放送受信装置１は、大別すると、アンテナ部２、チューナ部３、復調部及び誤り訂正（ＦＥＣ）部４、デマルチプレクサ（ＤＥＭＵＸ）５、音声信号処理部１０、映像信号処理部１１、スピーカ部１２、映像表示部１３、リモコン１４、赤外線受光部１５、操作部１６、ＯＳＤ処理部１７、天気予報表示部１８、時計部１９、ＲＯＭ２０、ＲＡＭ２１、制御部２２から構成されている。
【００１８】
アンテナ部２は、デジタルテレビジョン放送の放送電波を受信し、電気信号である放送信号に変換する。チューナ部３は、放送信号に所定の処理を施し、復調部及びＦＥＣ部４にこれを出力する。復調部及びＦＥＣ部４は、チューナ部３からの信号に関して復調及び誤り訂正処理を行い、ＤＥＭＵＸ５に出力する。ＤＥＭＵＸ５は、音声データ６、映像データ７、及びデータ放送のデータ８が多重化されている放送信号から、各データを分離して出力する。
【００１９】
データ放送は、データコンテンツを映像表示部１３に表示するために配信されるものであり、データ放送により配信されるデータコンテンツには、天気予報やニュースなどが含まれている。本実施形態では、このデータ放送に含まれている天気予報のデータを利用する。
【００２０】
音声信号処理部１０は、ＤＥＭＵＸ６から出力されたデジタル圧縮された音声データ６をデコードし、アナログ信号に変換して、スピーカ１２に出力する。映像信号処理部１１は、ＤＥＭＵＸ６から出力されたデジタル圧縮された映像データ７をデコードして、ＲＢＧ信号に変換し、映像表示部１３に出力する。
【００２１】
リモコン１４は、複数の入力キーを備えた遠隔操作装置であり、ユーザからの入力を受け付けて、赤外線発光部（図示せず）を介して、デジタルテレビジョン放送受信装置１に設けられた赤外線受光部１５に信号を出力する。赤外線受光部１５は、リモコン１４からの信号を制御部２２に出力する。操作部１６は、複数の入力キーを備えており、ユーザからの入力を受け付けて、制御部２２に出力する。
【００２２】
ＯＳＤ処理部１７は、制御部２２の制御により、映像表示部１３にＯＳＤ（On Screen Display）画面を表示させる。時計部１９は、現在時刻を計測する。ＲＯＭ２０は、読み出し専用の不揮発性メモリであり、本装置を動作させるための各種動作プログラムが記憶されている。ＲＡＭ２１は、揮発性のメモリであり、各種動作プログラムの実行時にはワークエリアとして働くとともに、各種の情報が記憶される。
【００２３】
制御部２２は、リモコン１４及び操作部１６からのユーザ入力を受け付けるとともに、チューナ部３、ＯＳＤ処理部１７、天気予報表示部１８、時計部１９、ＲＯＭ２０、ＲＡＭ２１を制御する。
【００２４】
天気予報表示部１８は、図２に示すように、映像表示部１３のモニタ画面１３ａを除く装置筐体３０の前面３１に、操作部１６とともに設けられている。
【００２５】
図３（ａ）は、天気予報表示部１８の実施例１を示す説明図である。
【００２６】
本実施例１の天気予報表示部１８Ａは、その全体が蛍光表示管や液晶表示パネルなどによって構成されている。制御部２２は、受信した天気予報のデータに基づいて、表示部１８Ａに天気予報を文字表示する。例えば、「晴れ」、「晴れ後曇り」、「曇り」、「雨」といった具合である。また、雨の場合には、その横に降水確率なども数値表示するようにすればよい。
【００２７】
図３（ｂ）は、天気予報表示部１８の実施例２を示す説明図である。
【００２８】
本実施例２の天気予報表示部１８Ｂは、上段に、天気の状態を示す各図記号（ここでは４個を例示しているが、４個に限るものではない。）が表記された図記号表記部１８１が配置され、その下段に、各図記号に対応してＬＥＤ等の発光部１８２，１８２，・・・がそれぞれ配置された構成となっている。制御部２２は、受信した天気予報のデータに基づいて、該当する図記号の対応する発光部１８２を点灯制御する。なお、雨の図記号の発光部１８２を点灯する場合には、その横に降水確率も表示できるように、降水確率表示用の小型の液晶表示パネルまたは蛍光表示管からなる表示窓１８３を設けておいてもよい。
【００２９】
図３（ｃ）は、天気予報表示部１８の実施例３を示す説明図である。
【００３０】
本実施例３の天気予報表示部１８Ｃは、天気の状態を示す各図記号（ここでは４個を例示しているが、４個に限るものではない。）が表記された光透過性の図記号表記パネル１８４によって構成されており、この図記号表記パネル１８４の後ろ側に、各図記号を個別に点灯表示するためのバックライト（図示省略）が配置された構成となっている。制御部２２は、受信した天気予報のデータに基づいて、該当する図記号の後ろ側に配置されたバックライトを点灯制御することで、図記号自体を個別に点灯する。なお、雨の図記号のバックライトを点灯する場合には、その横に降水確率も表示できるように、降水確率表示用の小型の液晶表示パネルまたは蛍光表示管からなる表示窓１８５を設けておいてもよい。
【００３１】
また、上記各実施例１〜３において、表示する天気予報は現在の天気予報ではなく、数時間後、半日後、明日、明後日等、ある程度先の天気予報を表示する場合もある。その場合には、表示されている天気予報がいつの天気予報であるのかをユーザに知らせる必要があるため、表示されている天気予報の予報日時を表示するための小型の液晶パネルまたは蛍光表示管からなる表示窓１８８を設けておいてもよい。
【００３２】
図４は、リモコン１４の構成を示す。リモコン１４は、テレビ放送受信装置１の各種動作を指示するためにユーザに押下操作される操作ボタンとして、電源ボタン１４１、数字ボタン１４２、メニューボタン１４３、データボタン１４４、天気予報ボタン１４５、カーソルボタン１４６ａ〜１４６ｄ、及び決定ボタン１４７等を備え、また、これらの操作ボタンの操作に応じて赤外線コード信号を送出する投光部１４８を備えている。
【００３３】
電源ボタン１４１は、テレビ放送受信装置１の電源をオン／オフするためのボタンである。数字ボタン１４２は、数値を選択するためのボタンであり、テレビ放送の番組の選局等に利用される。メニューボタン１４３は、テレビ放送受信装置１の各種設定を行うための設定メニュー画面を映像表示部１３に表示するためのボタンである。
【００３４】
データボタン１４４は、データ放送によるデータコンテンツを選択するためのデータ放送メニュー画面（例えば視聴可能なデータコンテンツの一覧等から成る画面）を映像表示部１３に表示するためのボタンである。天気予報ボタン１４５は、データ放送によるデータコンテンツの中から天気予報のコンテンツを抽出して天気予報表示部１８に表示するためのボタンであり、この天気予報ボタン１４５が押されることによって、デジタルテレビジョン放送受信装置１が天気予報の常時表示モードに移行するようになっている。すなわち、天気予報を常時表示する必要がなければ、この天気予報ボタン１４５を押さなければよい。また、天気予報の常時表示モードの状態において、この天気予報ボタン１４５を押したときには、常時表示モードを解除するようになっている。
【００３５】
カーソルボタン１４６ａ〜１４６ｄは、設定メニュー画面やデータ放送メニュー画面上に表示されるカーソルを移動させて項目を選択するためのボタンであり、決定ボタン１４７は、カーソルボタン１４６ａ〜１４６ｄによる項目の選択を決定するためのボタンである。リモコン１４は、これらの操作ボタンの操作に応じて、その操作に対応付けられた赤外線コード信号を投光部１４８から送出する。制御部２２は、リモコン１４の各操作ボタンの操作信号を受けて、テレビ放送受信装置１の動作を制御する。
【００３６】
次に、天気予報ボタン１４５が押されることによって天気予報の常時表示モードに移行する前の事前設定として、表示地域の設定と、表示時間帯の設定とを行う場合について説明する。
【００３７】
まず、リモコン１４のメニューボタン１４３を押して映像表示部１３にメニュー画面を表示する。図示は省略しているが、このメニュー画面には、天気予報表示の事前設定の項目が用意されているので、ユーザは、リモコン１４のカーソルボタン１４６ａ〜１４６ｄを操作して事前設定の項目を選択し、決定ボタン１４７を押す。これにより、映像表示部１３に図示しない事前設定画面が表示される。事前設定画面には、表示地域の設定欄と表示時間帯の設定欄とが用意されているので、ユーザは、まず表示地域の設定欄に例えばユーザの居住地域の設定を行う。この設定方法としては、例えば電話番号の入力による設定、または郵便番号の入力による設定などが可能である。このような電話番号や郵便番号による地域の設定は従来周知の技術であるので、ここでは詳細な説明を省略する。
【００３８】
また、表示時間帯の設定は、現在の天気予報を表示する場合には不要であるが、例えば６時間後とか１２時間後、さらには明日の天気とか明後日の天気というように、リアルタイムではない先の表示を所望する場合に設定する。具体例としては、ユーザが、例えば帰宅時間帯の天気予報を知りたいと考えた場合に、１２時間後等に設定する。これにより、例えば朝７時に天気予報表示部１８に表示される天気は、その日の午後７時ごろの天気予報となる。
【００３９】
また、表示地域の設定と表示時間帯の設定とを組み合わせることによって、例えばユーザが旅行に行く場合に、表示地域の設定を旅行先の目的地の設定とし、表示時間帯をその到着予定時刻に設定することで、出発時に旅行先の目的地の到着時の天気予報を確認することが可能となる。
【００４０】
次に、上記のような事前前提を行った後、天気予報ボタン１４５が押されることによって天気予報の常時表示モードに移行したときの制御部２２での処理動作について説明する。
【００４１】
制御部２２は、電源ボタン１４１がオン状態である場合はもちろん、電源ボタン１４１がオフ状態であっても、所定のタイミング（例えば、３０分毎若しくは１時間毎等のタイミング）でデジタルテレビジョン放送の放送電波を受信し、ＤＥＭＵＸ５で分離されたデータ放送から天気予報のデータを取得する。そして、取得した天気予報のデータの中から、事前に設定されている地域情報に基づいて表示地域の天気予報を取得する。この場合、表示時間帯も設定されている場合には、その表示地域のその表示時間帯の天気予報を取得する。そして、その取得した天気予報に基づいて、天気予報表示部１８に天気予報を表示する。
【００４２】
具体的には、天気予報表示部１８が上記実施例１に示す天気予報表示部１８Ａであった場合、制御部２２は、液晶表示パネルまたは蛍光表示管に文字で天気予報を表示する。例えば、予報が晴れである場合には、「晴れ」と表示し、晴れ後曇りである場合には「晴れ後曇り」と表示し、曇りの場合には「曇り」と表示し、雨の場合には「雨」と表示する。そして、雨と表示する場合には、その降水確率をその横に表示する。図３（ａ）に示す例では、「雨」と表示され、その横に降水確率が「８０％」と表示されている。
【００４３】
また、天気予報表示部１８が上記実施例２に示す天気予報表示部１８Ｂであった場合、制御部２２は、受信した天気予報のデータに基づいて、該当する図記号の対応する発光部１８２を点灯制御する。例えば、天気予報のデータが晴れである場合には、晴れマークである太陽マークの図記号の下の発光部１８２を点灯制御する。また、天気予報のデータが雨である場合には、雨マークである傘マークの図記号の下の発光部１８２を点灯制御する。ただし、雨の図記号の下の発光部１８２を点灯する場合には、その横の表示窓１８３に降水確率を数字で表示する。
【００４４】
また、天気予報表示部１８が上記実施例３に示す天気予報表示部１８Ｃであった場合、制御部２２は、受信した天気予報のデータに基づいて、該当する図記号の後ろ側に配置された図示しないバックライトを点灯制御する。例えば、天気予報のデータが晴れである場合には、晴れマークである太陽マークの図記号の後ろのバックライトを点灯制御する。また、天気予報のデータが雨である場合には、雨マークである傘マークの後ろのバックライトを点灯制御する。ただし、雨の図記号の後ろのバックライトを点灯する場合には、その横の表示窓１８５に降水確率を数字で表示する。
【００４５】
なお、これらの表示が表示時間帯の設定で設定された所定時間後の天気予報である場合には、その旨をユーザに知らせるために、表示窓１８８に、表示されている天気予報の予報日時を表示する。例えば、ユーザが現在の天気予報ではなく、１２時間後の天気予報を表示するように設定していた場合には、例えば朝７時に天気予報を見たときに、表示窓１８８には「午後７時」と表示され、天気予報表示部１８には上記実施例１〜３のようにして午後７時の天気予報が表示されることになる。これにより、ユーザは、出勤前に帰宅時の天気予報を確認することが可能となる。
【００４６】
なお、制御部２２は、電源ボタン１４１がオン状態であっても、オフ状態であっても、上記所定のタイミングで天気予報の表示を随時更新する。これにより、天気予報表示部１８には、常に最新の天気予報が表示されることになる。
【００４７】
また、上記実施形態では、天気予報表示部１８による天気予報の表示のみについて説明しているが、映像表示部１３にもＯＳＤ表示によって同様の天気予報を表示するようにしてもよい。ただし、この場合は電源オン時のみの表示となる。
【図面の簡単な説明】
【００４８】
【図１】本発明の実施形態に係るデジタルテレビジョン放送受信装置のシステム構成図である。
【図２】本発明の実施形態に係るデジタルテレビジョン放送受信装置を正面から見た外観図である。
【図３】（ａ）は天気予報表示部の実施例１を示す説明図、（ｂ）は天気予報表示部の実施例２を示す説明図、（ｃ）は天気予報表示部の実施例３を示す説明図であり、天気予報表示部のみを拡大して示している。
【図４】リモコンの構成を示す平面図である。
【符号の説明】
【００４９】
１  デジタルテレビジョン放送受信装置
２  アンテナ部 
３  チューナ部 
４  復調部及び誤り訂正部 
５  デマルチプレクサ 
６  音声データ 
７  映像データ
８  データ放送のデータ 
１０  音声信号処理部 
１１  映像信号処理部
１２  スピーカ部 
１３  映像表示部 
１４  リモコン
１５  赤外線受光部
１６  操作部 
１７  ＯＳＤ処理部
１８  天気予報表示部
１９  時計部
２０  ＲＯＭ
２１  ＲＡＭ
２２  制御部
３０  装置筐体
３１  前面
１８１  図記号表記部
１８２  発光部
１８３  表示窓
１８４  図記号表記パネル
１８５  表示窓
１８８  表示窓
【図１】
2009302678.tif 000003
【図２】
2009302678.tif 000004
【図３】
2009302678.tif 000005
【図４】
2009302678.tif 000006